(57)【特許請求の範囲】
【請求項１】
家具装着具（１０１）を家具（１１０）に固定するための固定装置（１００）であって、
前記家具装着具（１０１）が、左側の家具装着側部（１０２）または右側の家具装着側部（１０３）で前記固定装置（１００）により前記家具に選択的に固定でき、
前記固定装置は、接続要素（１）を含んでおり、該接続要素（１）は、前記家具装着具（１０１）を前記家具（１１０）に固定するための２つの接続要素領域（４、５）を有しており、
前記固定装置は、貫通開口部（２１）を備えた固定装置本体部（２０）をさらに含んでおり、
前記接続要素（１）は前記貫通開口部（２１）内に少なくとも部分的に配置されており、
前記接続要素（１）は、前記固定装置本体部（２０）に対して可動である、固定装置（１００）において、
前記接続要素（１）は、該接続要素（１）に対して制限的に可動であるアバットメント要素（２、３）を少なくとも一つ有しており、
前記接続要素（１）は、前記アバットメント要素（２、３）の少なくとも一つのために前記接続要素に対して固定された２つのアバットメント（１１、１２）を有しており、
前記接続要素に対して固定されている前記２つのアバットメント（１１、１２）は、前記接続要素（１）の縦軸（６）に対して略垂直に位置づけられたアバットメント表面部を有していることを特徴とする固定装置。
【請求項２】
前記アバットメント要素（２、３）の少なくとも一つが、一方において前記接続要素に対して固定されている前記アバットメント（１１、１２）の一つと、他方においてアバットメントとして作用している前記家具装着側部（１０２、１０３）との間で、それぞれ制限的に可動であることを特徴とする、請求項１に記載の固定装置。
【請求項３】
前記固定装置は、２体のアバットメント要素（２、３）を有していることを特徴とする、請求項１又は２に記載の固定装置。
【請求項４】
前記接続要素（１）が２つの端部（９、１０）を有しており、前記接続要素（１）の前記２つの端部（９、１０）の領域において、前記アバットメント要素（２，３）の少なくとも一つのために、前記接続要素に対して固定されている前記アバットメント（１１、１２）が提供されていることを特徴とする、請求項１又は２に記載の固定装置。
【請求項５】
２つの別々の工具受領手段（１３、１４）が前記接続要素（１）に提供されており、
好適には、前記工具受領手段（１３、１４）がスロット、十字スロット、六角ソケット、又は六角小葉ソケットの形態であることを特徴とする、請求項１〜４のいずれかに記載の固定装置。
【請求項６】
前記家具装着具（１０１）を前記家具（１１０）に固定させるために、請求項１〜５のいずれかに記載の少なくとも一つの固定装置（１００）を有する、家具（１１０）のための家具装着具（１０１）。
【請求項７】
前記固定装置本体部（２０）は、実質上完全に前記家具装着具（１０１）内に提供されていることを特徴とする、請求項６に記載の家具装着具。
【請求項８】
前記家具装着具（１０１）は、可動家具部分（１０４）のための延出装置、駆動装置、引込装置、若しくは制動装置の形態、又は、家具フラップ扉（１０５）、レール延出ガイド装置、若しくは照明装置用の作動装置（１０６）の形態であることを特徴とする、請求項６又は７に記載の家具装着具。
【請求項９】
請求項６〜８のいずれかに記載の家具装着具（１０１）の少なくとも一つと、請求項１〜５のいずれかに記載の固定装置（１００）の少なくとも一つとを有する家具（１１０）。
【発明の詳細な説明】
【技術分野】
【０００１】
本発明は、請求項１の前提部分（「おいて」書き部分）に記した、家具装着具の家具への固定用装置に関する。
また、本発明は、前記固定装置を備えた家具用の家具装着具、及び当該家具装着具を備えた家具にも関する。
【背景技術】
【０００２】
上記の固定装置は、例えば特許文献１に開示されている。家具装着具（そこでは家具フラップ扉用の駆動装置の形態）は、この固定装置によって家具筐体に固定されている。この点において、駆動装置は、家具筐体の左側と、その右側の両方に固定できるように設計されており、よって両方の組み立て位置では、一つの設計形態の駆動装置で間に合う。
【０００３】
このため、固定装置は、駆動装置の一方側から他方側へ貫通する開口部を有している。接続要素はその貫通開口部内に配置されており、駆動装置はその接続要素によって家具筐体のそれぞれの側部に固定される。
【先行技術文献】
【特許文献】
【０００４】
【特許文献１】独国特許出願公開第２０２０１００１４９４８号明細書
【発明の概要】
【０００５】
本発明の目的は、従来技術に勝る、家具装着具の家具への固定装置の提供にある。この目的は、請求項１の特徴を有する固定装置と、請求項１９の特徴を有する家具装着具と、請求項２２に記載の家具によって達成される。
【０００６】
接続要素が、該接続要素に対して制限的に可動である少なくとも一つのアバットメント要素（当接要素）を有しているという事実は、アバットメント要素が接続要素に関連して、固定装置および家具装着具という異なる２つの位置で、家具に固定させることが可能なアバットメントとして、利用できることを意味している。
【０００７】
このアバットメント要素の設計のおかげで、家具装着具が家具に位置的に安定した状態で固定可能である非常にコンパクトな固定装置が提供される。さらに、接続要素に対するアバットメント要素の制限的な可動性によって、アバットメント要素が接続要素上に残ることを確実にすることができ、したがって、アバットメント要素と接続要素が互いに分離しないため、好適な組み立てモードが提供される。
【０００８】
本発明のさらなる有利な実施態様は、従属請求項に定義されている。
【０００９】
その少なくとも一つのアバットメント要素が、接続要素から放射状に突き出ていることが有利であることが証明されている。この点において、接続要素が縦軸を有し、その少なくとも一つのアバットメント要素は接続要素の縦軸に沿って制限的に可動であることが特に有利であることが証明されている。この点で、特に好適には、その少なくとも一つのアバットメント要素が接続要素に着脱可能に固定可能である。
【００１０】
接続要素と固定装置本体部（ｓｅｃｕｒｉｎｇ  ｂｏｄｙ）が共同で組み立て前構造ユニットの形態をなすことが特に有利であることが証明されている。よって、接続要素が自然に固定装置本体部から外れることができないため、接続要素を紛失することがないようにすることが可能である。
【００１１】
好適な実施態様の一つによれば、接続要素は固定装置本体部の貫通開口部を実質上完全に貫通して延びることができる。
【００１２】
さらに好適には、組み立て状態の接続要素は、一方側で固定装置本体部の貫通開口部内に沈んだ状態で受領され、他方側で家具内に受領されることができる。接続要素が固定装置に沈んだ状態であるという事実は、接続要素が固定装置を越えて横方向に突き出ていないことを意味しているため、組み立て状態において美観的に魅力的な固定装置を提供することが可能である。
【００１３】
好適な実施態様の一つでは、接続要素領域が、強制ロック及び／又はポジティブロック（能動（的）ロック）の関係で家具に接続できる。２つの接続要素領域が、接続要素上で互いに対称な形態であることが有利であることが証明されている。
【００１４】
また、組み立て位置での接続要素領域が、左側または右側の家具装着側部を越えて突き出ていることが有利であることも証明されている。接続要素領域が家具装着側部を越えて突き出ているという事実のおかげで、接続要素は家具筐体内に貫通し、その中で固定されることができる。
【００１５】
接続要素の接続要素領域がネジ溝を有していることがさらに好適でありえる。固定は、ネジ溝を用いることで簡単に実行できる。この点において、その少なくとも一つのアバットメント要素がネジ溝内で可動に支持されていることが特に好適である。この点において、その少なくとも一つのアバットメント要素は保持リングの形態であることが有利であることが証明されている。
【００１６】
好適な実施態様の一つでは、接続要素は、その少なくとも一つのアバットメント要素のため、接続要素に対して固定されている２体のアバットメントを有することができる。この点において、その少なくとも一つのアバットメント要素は、一方側で接続要素に対して固定されているアバットメントの一つと、他方側でアバットメントとして作用している家具装着側部との間でそれぞれ制限的に可動であることが好適である。しかしながら、固定装置が２体のアバットメント要素を有していることが特に好適である。
【００１７】
接続要素が２つの端部を有しており、接続要素の２つの端部の領域に、その少なくとも一つのアバットメント要素のため、接続要素に対して固定されているアバットメントが提供されていることが有利であることも証明されている。
【００１８】
好適な実施態様の一つでは、２体の別々の工具受領手段が接続要素に提供されることができる。２体の独立した工具受領手段の提供のおかげで、家具装着側部での取り付けのため、それぞれを個別に利用できる。
【００１９】
工具受領手段がスロットまたは十字スロットまたは六角ソケットまたは六角小葉ソケット（ｈｅｘａｌｏｂｕｌａｒ  ｓｏｃｋｅｔ）の形態であることが望ましい。
【００２０】
特許保護は特に、ここで解説する実施態様の少なくとも一つによる、家具に家具装着具を固定させるための少なくとも一つの固定装置を有する家具用の家具装着具にも請求される。
【００２１】
本発明の１実施態様では、固定装置本体部は、実質上完全に家具装着具内に提供されている。家具装着具内において固定装置本体部を提供することは、家具装着具を完全な組立体の形態で工業生産することを可能とし、家具装着具を家具に取り付ける際に追加的な組み立て作業を必要としないことを意味するものである。
【００２２】
好適な実施態様の一つによれば、家具装着具を、可動な家具部分のための延出装置、駆動装置、引込装置または制動装置の形態で提供することができ、または家具フラップ扉またはレール延出ガイド装置または照明装置用の作動装置として提供できる。
【００２３】
特許の保護は、解説する実施態様の少なくとも一つによる、そのような家具装着具とそのような固定装置とを有する家具にも請求されるものである。
【００２４】
本発明のさらなる詳細と利点は、例示として図面に図示された実施例に関連する詳細な説明によって、以下でさらに詳説される。
【図面の簡単な説明】
【００２５】
【図１】図１は、家具フラップ扉を備えた家具の斜視図である。
【図２】図２は、家具フラップ扉が取り外されている家具の斜視図である。
【図３】図３は、家具装着具が取り付けられた家具の家具筐体の側壁の斜視図である。
【図４】図４は、接続要素が固定装置本体部に装着される前の、４体の固定装置を備えた家具装着具の斜視図である。
【図５】図５は、接続要素が取り付けられた状態の図４の斜視図である。
【図６】図６は、図５の詳細図である。
【図７】図７は、家具装着具の固定装置を装着した場合の断面を伴う斜視図である。
【図８】図８は、図７の詳細図である。
【図９】図９は、家具側壁へ取り付ける前の固定装置を備えた家具装着具の断面図である。
【図１０】図１０は、右側の側壁への取り付け後の図９の断面図である。
【図１１】図１１は、左側の側壁への取り付け後の家具装着具の固定装置の断面図である。
【図１２】図１２は、取り外された２体のアバットメント要素を備えた接続要素の斜視図である。
【図１３】図１３は、アバットメント要素が取り付けられた状態の接続要素の斜視図である。
【図１４】図１４は、制限的に可動であるアバットメント要素を備えた接続要素の斜視図である。
【図１５】図１５は、２体のアバットメント要素を備えた接続要素の１変形例の斜視図である。
【図１６】図１６は、２体のアバットメント要素を備えた接続要素の１変形例の平面図である。
【図１７】図１７は、２体のアバットメント要素を備えた接続要素の別の変形例の斜視図である。
【図１８】図１８は、２体のアバットメント要素を備えた接続要素の別の変形例の平面図である。
【図１９】図１９は、接続要素のための位置決め装置を備えた家具装着具と、その固定装置の断面図である。
【図２０】図２０は、家具装着具内の断面図で示された接続要素のための位置決め装置の１変形例を示している。
【図２１】図２１は、アバットメント要素を１体のみ備えた固定装置の１変形例の分解図である。
【図２２】図２２は、図２１に示す固定装置の斜視断面図である。
【図２３】図２３は、左向きに配置された接続要素を備えた、図２２のごとき断面図である。
【図２４】図２４は、家具筐体側壁への取り付け前の、家具装着具の固定装置の断面図である。
【図２５】図２５は、家具筐体側壁への取り付け後の、家具装着具の固定装置の断面図である。
【発明を実施するための形態】
【００２６】
図１は、家具１１０の斜視図である。この家具１１０は、家具筐体１０７と、家具フラップ扉１０５の形態の可動家具部分１０４とを有している。家具筐体１０７は、右側の家具筐体側部１０８と左側の家具筐体側部１０９とをさらに有している。
【００２７】
図２に示すように、家具装着具１０１は、家具筐体側部１０８と１０９に固定装置１００（ここでは図示せず）によって固定されている。この実施例では、家具装着具１０１は家具フラップ扉１０５（ここでは図示せず）（この点に関しては図１参照）のための作動装置１０６の形態である。
【００２８】
別の家具装着具１０１は、反対の左側の家具筐体側部１０９（この図では見えない）に固定されている。左側と右側の家具筐体側部１０８と１０９のそれぞれに装着するため、家具装着具１０１のための２つの異なる設計形態を作成する必要がないよう、これら家具装着具１０１は対称であり、すなわち一つの同じ家具装着具１０１を、左側の家具筐体側部１０９と、右側の家具筐体側部１０８の両方に固定できる。この図、およびさらに続く図では、家具１１０の左側の家具筐体側壁１０９または右側の家具筐体側壁１０８に固定された一つの家具装着具１０１についてそれぞれ解説している。左側または右側の家具筐体側壁１０９と１０８のそれぞれに、固定されていない家具装着具１０１、例えば家具筐体１０７の底部または上部、あるいは家具筐体１０７内に配置された棚の一つ、あるいは（家具フラップ扉のような）可動家具部分、引き出しなど、家具１１０の別の側部に固定された家具装着具を想定することも当然可能であることは自明であろう。この点における唯一の重要な点は、家具装着具１０１自体が、家具１１０の側部にて、２つの異なる家具装着側部（例えば左側の家具装着側部１０２と右側の家具装着側部１０３）に配置させることが可能であるよう、家具装着具１０１が対称な形態のユニット体であることである（図１０と図１１参照）。
【００２９】
図３は、家具装着具１０１をその右側の家具装着側部１０３により右側の家具筐体側部１０８に上方領域にて固定した右側の家具筐体側部１０８を示している。この好適な実施例では、家具装着具１０１は、家具フラップ扉１０５（ここでは図示せず）のための作動装置１０６の形態である。
【００３０】
家具装着具１０１は同様に、延出装置、駆動装置、引込装置（ｒｅｔｒａｃｔｉｏｎ  ｄｅｖｉｃｅ）、若しくは、例えば可動家具部分のための制動装置（ｄａｍｐｉｎｇ  ｄｅｖｉｃｅ）の形態、又は、引出しレール延出ガイド若しくは照明装置であることもできる。
【００３１】
家具装着具１０１の対称な形態のおかげで、この家具装着具１０１は同様に、その左側の家具装着側部１０２により左側の家具筐体側部１０９（ここでは図示せず）に固定されることもできる。
【００３２】
図４と図５は、４体の固定装置１００を備えた家具装着具１０１の斜視図であり、図４は、接続要素１がそれらのアバットメント要素２と３で家具装着具１０１内にまだ装着されていない状態を示している。すなわち、接続要素１またはそのアバットメント要素２と３が取り付け前に紛失しないことが確実になるよう、このユニットを一体で運ばせることが意図されていることによる家具装着具１０１の運搬前の状態が示されている。これは、そのような家具装着具を家具に固定するために作業員が従来喜んで使用していた単純なネジの使用に勝る大きな利点も示している。
【００３３】
この好適な実施例では、家具装着具１０１は作動装置１０６の形態であり、４体の固定装置１００を有している。固定装置１００は、家具装着具１０１内に提供されており、左側の家具装着側部１０２から右側の家具装着側部１０３に延びる、家具装着具１０１を通る貫通開口部２１を有した固定装置本体部２０を実質的に含んでいる。
【００３４】
図６は、図５の詳細図であり、設置された状態である２体の固定装置１００の前面を図示している。接続要素１が家具装着具１０１から脱落しないよう、２体のアバットメント要素２と３が、接続要素１の両端９と１０に取り付けられている。この好適実施例では、これらは保持リング（ｒｅｔａｉｎｉｎｇ  ｒｉｎｇ）を含む。この保持リングは、接続要素１のネジ溝内を制限的に可動である。換言すれば、これらはネジ溝に沿って移動できる。アバットメント要素２と３が自然に接続要素１から緩まないように、接続要素１には、端部９と１０の領域に、接続要素に対して固定されており、アバットメント要素２と３を支受させることができる、アバットメント（当接部）１１と１２が提供されている。接続要素に対して固定されているアバットメントは好適には、接続要素の縦軸に対してほぼ垂直に配向されたアバットメント表面部を有している。これは軸方向でのポジティブロックの関係のごときアバットメント効果、または保持効果を提供する。アバットメント要素２または３のうちの一つが、接続要素に対して固定されているアバットメント１１または１２に支受されるとすぐに、それらは、家具装着具１０１を家具（ここでは図示せず）に固定させる接続要素頭部のように協調し、すなわちこの場合にはそこに押し付けられる。この実施例では、適切な工具が工具受領手段１３に導入されることで、接続要素１がアバットメント要素２または３それぞれと共に回転できる。
【００３５】
図７と図８は、前述の図で示したものと同じ家具装着具１０１を再び示しており、今回は、固定装置１００の一つに関する断面図である。図８の詳細図では、片側で家具装着具１０１の固定装置本体部２０が家具装着具１０１内にほぼ完全に配置されており、接続要素１が固定装置本体部２０内の貫通開口部２１をほぼ完全に貫通して延びている状態が明示されている。この場合には、固定装置１００は組立前構造ユニット５０の形態であるので、例えば接続要素１またはアバットメント要素２と３のような固定装置１００の部品は例えばその輸送中に家具装着具１０１から分離することはなく、したがって、これらの部品のうちの一つを紛失することを回避できる。
【００３６】
図７と図８では特に、家具装着具１０１が、左側の家具装着側部１０２または右側の家具装着側部１０３で固定装置１００により家具１１０（ここでは図示せず）に選択的に固定できる状態が明示されており、固定装置１０１は接続要素１を有しており、接続要素１は、家具装着具１０１を家具１１０に固定するための２つの接続要素領域４と５を有しており、固定装置１００は、貫通開口部２１を備えた固定装置本体部２０を有している。この構造では、接続要素１は貫通開口部２１内に少なくとも部分的に配置されており、接続要素１は、固定装置本体部２０に対して可動であり、接続要素１は、接続要素１に対して制限的に可動である２体のアバットメント要素２と３を有している。
【００３７】
図９から図１１は、どのようにして、家具装着具１０１が、一方では右側の家具筐体側部１０８（図１０）に、他方では左側の家具筐体側部１０９（図１１）に、固定装置１００によって固定されるかを示している。
【００３８】
このため、図９に示すように、家具装着具１０１は、接続要素１が右側の家具筐体側部１０８の穴部９１上に配置されるよう、右側の家具筐体側部１０８に当接されている。その後に適切な工具が接続要素１の工具受領手段１３に装着され、この好適な実施例では接続要素１が、接続要素１の接続要素領域５が右側の家具筐体側部１０８の穴部９１内に配置されるまで、右側の家具筐体側部１０８の穴部９１へネジ込まれる（図１０）。家具装着具１０１と家具筐体側部１０８との間で適切な接続が提供されるよう、アバットメント要素２が、家具装着具１０１を右側の家具筐体側部１０８に押圧するネジ頭のように、それに対して固定されている接続要素１のアバットメント１１と協調する。接続要素１を右側の家具筐体側部１０８にネジ留めする作業中に、第２のアバットメント要素１１が接続要素１に沿ってその中央方向に移動し、右側の家具筐体側部１０８に支受される。
【００３９】
この図では、取り付け状態において接続要素１が、一方側で固定装置本体部２０の貫通開口部２１内に、他方側で家具装着具１０１内に沈んだ状態で受領されている状況が明示されている。図１０と図１１では、それぞれの接続要素領域４または５は、取り付け位置では、家具装着具１０１の左側の家具装着側部１０２と右側の家具装着側部１０３を越えて突き出ている。
【００４０】
左側の家具装着側部１０９でも取り付け作業が実行できるよう、接続要素１は２体の別々の工具受領手段１３と１４を有している。一方側は、右側の家具筐体側部１０８への取り付けのためで（工具受領手段１３）、他方側は、左側の家具筐体側部１０９への取り付けのためである（工具受領手段１４）。
取り付け作業が実行された後、接続要素１はアバットメント要素２と３と共に、家具装着具１０１内に完全に閉じ込められ、家具装着具１０１のための美観と小型形態に貢献する。
【００４１】
家具装着具１０１の左側の家具筐体側部１０９への固定は、図１０との関連で解説した方法と同様に実行される。
【００４２】
図１２は、接続要素１と、（ここで明示されているように）保持リングの形態であるその２体のアバットメント要素２と３の分解図である。
【００４３】
この構造では、接続要素１は２つの端部９と１０を有しており、その領域には、接続要素に対して固定されたアバットメント１１と１２が提供される。当該アバットメント１１と１２により、２体のアバットメント要素２と３が接続要素１から外れるのを防止することができる。アバットメント要素２と３がこれらのアバットメント１１と１２に配置されているとき、アバットメント要素２と３は接続要素の頭部であるようにアバットメント１１と１２と協調する（図１３参照）。
【００４４】
この好適な実施例では、工具受領手段１３と１４は十字スロット受領手段の形態であるが、必ずしもこの形態である必要はないことは理解できよう。工具受領手段１３と１４は、それぞれがスロット、六角ソケットまたは六角小葉ソケットまたはその他の任意の考えられる工具受領手段でよいことは同様に想定できる。
【００４５】
図１４に示すように、アバットメント要素２と３はそれぞれネジ溝７と８内で可動に取り付けられており、接続要素に対して固定されているアバットメント１１と１２に当接するまで、ネジ溝７と８内を制限的に可動である。
【００４６】
この実施例では、ネジ溝７と８には連続したネジ溝が関与する。ネジ溝７と８自体は、家具装着具１０１（図示せず）を家具に固定するために接続要素領域４と５のみに必要とされるものであり、このことは必ずしも必要ではないであろう。この実施例では、２つの接続要素領域４と５は、接続要素１にて互いに対称な形態をとっており、アバットメント要素２と３は接続要素１に着脱可能に固定できる。これは、製造技術の点で利点を提供するが、実際のところ、必ずしもそうである必要はないであろう。
【００４７】
図１３と図１４に示されているように、２体のアバットメント要素２と３は、接続要素１の縦軸６に沿って制限的に可動である。この場合には、２体のアバットメント要素２と３は、接続要素１から放射状に突き出ている。
【００４８】
ここで解説する実施例では、接続要素１は、接続要素１を家具筐体側部１０８または１０９にねじ込むため、ネジ溝７と８を常に有していた。そのことは必ずしも必要ではないことは理解できよう。よって、そのような接続要素がねじ込みされず、その代わりにこれらがプレス装着（ｐｒｅｓｓ  ｆｉｔ）の形態で家具筐体側部に接続される場合も多いことは、家具の組立においては既に知られている。
【００４９】
この場合には、接続要素１は、図１５から図１８に示す２つの実施例の場合のように、ネジ溝のない形態でよい。
【００５０】
図１５と図１６では、接続要素１はその縦軸６に沿った溝部９３を有するピンの形態である。アバットメント要素２または３のノーズ部が、接続要素１のこの溝部９３内に突き入る。アバットメント要素２または３は、溝部９３の端部にてアバットメント１１と１２に対し当接するまで、溝部９３に沿ってスライドできるか、または押されることができる。
【００５１】
この状況は図１７と図１８の実施例でも類似しており、接続要素１の端部９と１０は、接続要素１の中央領域での直径よりも大きな直径である。２体のアバットメント要素２と３は、大きい直径の２つの端部９と１０との間に配置されており、接続要素１の端部９と１０の領域においてアバットメント１１と１２との間で自由に移動できる。この実施例も溝部９３を有している。しかしながらその溝部９３は単にオプションであり、その溝部９３のない構造も想定できる。
【００５２】
図１５と図１６の実施例と図１７と図１８の実施例のいずれも、接続要素１を家具筐体側部１０８または１０９（ここでは図示せず）に接続するためのネジ溝を有していない。家具筐体側部への接続は好適にはプレス装着によって実行される。このためには、接続要素１は家具筐体側部にハンマーまたは同様の適切な工具で打ち込むことができるので、接続要素１が工具受領手段を有する必要もない。しかしながら、この実施例にネジ溝及び／又は工具受領手段を提供してもよい。
【００５３】
このように、全ての実施例で、接続要素領域４と５を家具１１０（ここでは図示せず）に強制ロック及び／又はポジティブロック関係で接続できる。
【００５４】
それ以外では、図１５から図１８における２つの実施例では、図４から図１４の実施例に関する前述の説明が対応して当てはまる。
【００５５】
接続要素１とそのアバットメント要素２と３が、固定装置本体部２０内の貫通開口部２１に緩く配置されないよう、図１９と図２０の実施例に示すように、位置決め装置６０が提供されている。
【００５６】
図１９の実施例では、位置決め装置６０は接続要素１のネジ溝７または８に係合することで、接続要素１が貫通開口部２１をひとりでに移動できないことを確実にしている。
【００５７】
図２０は、接続要素１に過度の力（ｒａｄｉｃａｌ  ｆｏｒｃｅ）を及ぼすバネ装置６１を備える位置決め装置６０という別の実施例を示すものであり、これも接続要素１が貫通開口部２１を移動することを防止する。
【００５８】
図２０の実施例では、接続要素１はネジ溝７と８もそれぞれ有している。ただ、位置決め装置６０のバネ装置６１が接続要素１の滑らかな軸も押圧し、その移動を防止するであろうから、このようなネジ溝は位置決め装置６０の当該実施例には、必ずしも必要というものではないであろう。
【００５９】
図１９と図２０の実施例では、固定装置１００の２体のアバットメント要素２と３が、一方側で接続要素に対して固定されているアバットメント１１と１２の一方と、他方側でアバットメントとして作用している家具装着側部１０２と１０３との間でそれぞれ制限的に可動である状態がさらに図示されている。
【００６０】
図４から図２０に示す実施例では、家具装着具１０１を固定装置１００によって異なる家具壁に固定するよう、それぞれが２体のアバットメント要素２と３を利用している。
【００６１】
図２１から図２５の実施例では、接続要素１に対して制限的に可動であり、家具装着具１０１を異なる家具筐体側壁に固定させる、単体のアバットメント要素２だけを有する固定装置１００を利用している。
【００６２】
図２１は、家具装着具１０１の固定装置１００の分解図である。この場合には、前述の実施例とは異なり、固定装置１００は単体のアバットメント要素２だけを有しており、このアバットメント要素２は接続要素１に着脱可能に固定されることができる。
接続要素１の接続要素領域４と５は、強制ロック及び／又はポジティブロック関係で家具（ここでは図示せず）に前述同様に固定できる。この実施例でも、２体の接続要素領域４と５は接続要素１上で相互に対称な形態である。
【００６３】
この実施例では、接続要素領域４と５はネジ溝を有していない。しかしながら、接続要素領域４と５が、接続要素１を家具にネジ留めさせるネジ溝を有していてもよい。
【００６４】
この図では、アバットメント要素２は前述同様に保持リングの形態である。接続要素１は、アバットメント要素２のため、接続要素に対して固定されている２体のアバットメント１１と１２を有している。
【００６５】
アバットメント要素２は、これらアバットメント１１と１２との間を制限的に可動であり、しかもアバットメント要素２は家具装着側部１０２と１０３との間も制限的に可動であり、アバットメントとして作用する。このため、家具装着側部１０２の内部には、取り付け状態でそこにアバットメント要素２を受領する凹部が提供されている（図２２から図２５参照）。
【００６６】
接続要素に対して固定されているアバットメント１１と１２は、接続要素１の２つの端部９と１０の領域に提供されており、アバットメント要素２は取り付け手順において、これらアバットメント１１と１２に当接できる。
【００６７】
この実施例では、接続要素１は、この実施例では十字スロットの形態の２つの別々の工具受領手段１３と１４を有している。これは接続要素１が、接続要素１を家具筐体側壁に接続するためにネジ溝を有する場合に特に有利である。また、この実施例のように、接続要素１がネジ溝を有しておらず、プレス装着形態によって家具筐体側壁に接続されることもできる。
【００６８】
図２２は、家具装着具１０１の断面とその固定装置１００を示す斜視図である。
【００６９】
この状態で、固定装置１００は家具装着具１０１内に完全に受領されており、家具装着具の側壁１０３と１０２それぞれを越えて突き出てはいない。家具装着具１０１の内部は、アバットメント要素２が配置される空洞（ｃａｖｉｔｙ）を有している。
【００７０】
家具装着具１０１を左側に取り付ける時、アバットメント要素２が左側の家具装着内側アバットメント２２に当接し、一方、右側の側部への取り付け時には、アバットメント要素２は右側の家具装着内側アバットメント２３に当接するであろう。
【００７１】
この図では、接続要素１と固定装置本体部２０は共同で組立前構造ユニット５０の形態をなすことが明示されている。接続要素１が、固定装置本体部２０の貫通開口部２１を実質的に貫通して延びている状態も明示されている。この場合には、アバットメント要素２は２本の溝部９３内で可動に取り付けられている。溝部９３が存在せず、その代わりに、その上をアバットメント要素２が移動できるネジ溝が接続要素１に提供されている場合も当然に可能であろう。
【００７２】
図２３は、接続要素１が、家具装着具１０１の固定装置本体部２０の貫通開口部２１を通って移動した後の図２２の家具装着具１０１を示している。この場合には、アバットメント要素２が家具装着具１０１の空洞内で停止したままであるため、アバットメント要素２は接続要素１に対して制限的に移動しており、一方で接続要素１は、貫通開口部２１から部分的に抜け出している。
【００７３】
図２４は、接続要素１が左側の家具筐体側壁１０９の穴部９１の前方に配置されるよう、家具装着具１０１がどのようにして左側の家具筐体側壁１０９に配置されるかを示す側面図である。続いて、図２５に示すように、接続要素１は左側の家具筐体側壁１０９の穴部９１にネジ込まれており、さらに詳細には、そこに対して固定されている接続要素１のアバットメント１２が、アバットメント要素２に接するまでネジ込まれており、よって家具装着具１０１が左側の家具筐体側壁１０９に押し付けられて、そこで固定される。
【００７４】
図２４と図２５に明示するように、アバットメント要素２は接続要素１から放射状に突き出ており、接続要素１は縦軸６を有しており、アバットメント要素２は接続要素１の縦軸６に沿って制限的に可動である。
【００７５】
家具装着具１０１が取り付けられた後には、接続要素１は、一方側で固定装置本体部２０の貫通開口部２１内に、他方側で家具１１０（この場合には左側の家具筐体側壁１０９）内に沈んだ状態で受領される。
【図１】
0006285468.tif 000002
【図２】
0006285468.tif 000003
【図３】
0006285468.tif 000004
【図４】
0006285468.tif 000005
【図５】
0006285468.tif 000006
【図６】
0006285468.tif 000007
【図７】
0006285468.tif 000008
【図８】
0006285468.tif 000009
【図９】
0006285468.tif 000010
【図１０】
0006285468.tif 000011
【図１１】
0006285468.tif 000012
【図１２】
0006285468.tif 000013
【図１３】
0006285468.tif 000014
【図１４】
0006285468.tif 000015
【図１５】
0006285468.tif 000016
【図１６】
0006285468.tif 000017
【図１７】
0006285468.tif 000018
【図１８】
0006285468.tif 000019
【図１９】
0006285468.tif 000020
【図２０】
0006285468.tif 000021
【図２１】
0006285468.tif 000022
【図２２】
0006285468.tif 000023
【図２３】
0006285468.tif 000024
【図２４】
0006285468.tif 000025
【図２５】
0006285468.tif 000026